(57)【要約】【課題】  どのような色が出力デバイスによってどのような色で出力されるのかを容易に認識することができる色変換定義表示装置、色変換定義表示プログラム、および色変換定義表示方法を提供する。【解決手段】  所定の第１の色空間と、出力デバイスに依存した第２の色空間との間の座標変換を定義した色変換定義を取得する取得部と、明度、彩度、および色相それぞれに対応する３つの座標軸を有する、第１の色空間と相互に空間変換が可能な第３の色空間における１つ以上の座標軸が指定される第１の指定部と、指定された座標軸における座標成分が指定される第２の指定部と、上記３つの座標軸のうち、指定された座標軸の座標成分を指定された座標成分に固定して第３の色空間における各座標に対応する第２の色空間の各座標を算出する座標算出部と、算出された第２の色空間の各座標と、その各座標に対応する第３の色空間の各座標との対応関係をグラフで表示する表示部とを備えた。【選択図】        図９
2006254009.tif 000002
【特許請求の範囲】
【請求項１】
所定の第１の色空間と、画像を出力する出力デバイスに依存した第２の色空間との間の座標変換を定義した色変換定義を取得する取得部と、
明度、彩度、および色相それぞれに対応する３つの座標軸を有する、所定の変換式で前記第１の色空間と相互に空間変換が可能な第３の色空間における３つの座標軸のうちの１つ以上の座標軸が指定される第１の指定部と、
前記第１の指定部で指定された座標軸における座標成分が指定される第２の指定部と、
前記第３の色空間における３つの座標軸のうち、前記第１の指定部で指定された座標軸の座標成分を前記第２の指定部で指定された座標成分に固定して残りの座標軸の座標成分を変化させたときの該第３の色空間における各座標に対応する該第２の色空間の各座標を、前記変換式および前記色変換定義に従って算出する座標算出部と、
前記座標算出部で算出された前記第２の色空間の各座標と、その各座標に対応する前記第３の色空間の各座標との対応関係をグラフで表示する表示部とを備えたことを特徴とする色変換定義表示装置。
【請求項２】
前記第２の指定部は、前記第１の指定部で指定された座標軸の座標成分が指定されるとともに、残りの座標軸における座標成分が前記表示部で表示されたグラフ上で指定されるものであり、
前記表示部は、前記対応関係をグラフで表示するとともに、前記座標算出部で算出された、前記第２の指定部で指定された３つの座標成分によって構成される座標と対応する前記第２の色空間の座標の座標成分も表示するものであることを特徴とする請求項１記載の色変換定義表示装置。
【請求項３】
前記第１の指定部は、前記第３の色空間における３つの座標軸のうち１つの座標軸が指定されるものであり、
前記表示部が、前記第３の色空間における３つの座標軸のうち前記第１の指定部で指定された１つの座標軸を除く２つの残りの座標軸で構成される平面上で、前記対応関係を濃淡グラフで表示するものであることを特徴とする請求項１記載の色変換定義表示装置。
【請求項４】
前記第１の指定部は、前記第３の色空間における３つの座標軸のうち２つの座標軸が指定されるものであり、
前記表示部が、前記第３の色空間における３つの座標軸のうち前記第１の指定部で指定された２つの座標軸を除く１つの残りの座標軸に対して、前記対応関係を曲線グラフで表示するものであることを特徴とする請求項１記載の色変換定義表示装置。
【請求項５】
コンピュータシステム内で実行され、該コンピュータシステム上に、
所定の第１の色空間と、画像を出力する出力デバイスに依存した第２の色空間との間の座標変換を定義した色変換定義を取得する取得部と、
明度、彩度、および色相それぞれに対応する３つの座標軸を有する、所定の変換式で前記第１の色空間と相互に空間変換が可能な第３の色空間における３つの座標軸のうちの１つ以上の座標軸が指定される第１の指定部と、
前記第１の指定部で指定された座標軸における座標成分が指定される第２の指定部と、
前記第３の色空間における３つの座標軸のうち、前記第１の指定部で指定された座標軸の座標成分を前記第２の指定部で指定された座標成分に固定して残りの座標軸の座標成分を変化させたときの該第３の色空間における各座標に対応する該第２の色空間の各座標を、前記変換式および前記色変換定義に従って算出する座標算出部と、
前記座標算出部で算出された前記第２の色空間の各座標と、その各座標に対応する前記第３の色空間の各座標との対応関係をグラフで表示する表示部とを構成することを特徴とする色変換定義表示プログラム。
【請求項６】
所定の第１の色空間と、画像を出力する出力デバイスに依存した第２の色空間との間の座標変換を定義した色変換定義を取得する取得過程と、
明度、彩度、および色相それぞれに対応する３つの座標軸を有する、所定の変換式で前記第１の色空間と相互に空間変換が可能な第３の色空間における３つの座標軸のうちの１つ以上の座標軸が指定される第１の指定過程と、
前記第１の指定過程で指定された座標軸における座標成分が指定される第２の指定過程と、
前記第３の色空間における３つの座標軸のうち、前記第１の指定過程で指定された座標軸の座標成分を前記第２の指定過程で指定された座標成分に固定して残りの座標軸の座標成分を変化させたときの該第３の色空間における各座標に対応する該第２の色空間の各座標を、前記変換式および前記色変換定義に従って算出する座標算出過程と、
前記座標算出過程で算出された前記第２の色空間の各座標と、その各座標に対応する前記第３の色空間の各座標との対応関係をグラフで表示する表示過程とを有することを特徴とする色変換定義表示方法。
【発明の詳細な説明】
【技術分野】
【０００１】
本発明は、所定の第１の色空間と、画像を出力する出力デバイスに依存した第２の色空間との間の座標変換を定義した色変換定義を表示する色変換定義表示装置、コンピュータ内で実行されることにより、コンピュータをそのような色変換定義表示装置として動作させる色変換定義表示プログラム、および色変換定義表示方法に関する。
【背景技術】
【０００２】
従来、画像入力装置で原画像を読み取って画像データを取得し、画像出力装置で画像データに基づいて画像を出力する画像入出力システムが知られている。
【０００３】
画像入力装置は、画像に光を照射することによって、画像をＲ（レッド）、Ｇ（グリーン）、Ｂ（ブルー）それぞれの色成分ごとに読み取るものが一般的であり、このような画像入力装置では、ＲＧＢ色空間の入力画像データが得られる。一方、画像出力装置は、Ｃ（シアン）、Ｍ（マゼンタ）、Ｙ（イエロー）、Ｋ（黒）の色材を使って画像を形成するものが多く、このような画像出力装置では、ＣＭＹＫ色空間の出力画像データに基づいて画像が出力される。このように、装置によって使用される色空間が異なったり、同じ色空間上の同じ値の画像データであっても、装置の種類や機差などによって表現される色が微妙に異なることがある。このため、画像入力装置で得られた入力画像データをそのまま用いて画像出力装置で画像を出力しても、画像入力装置で入力される原画像の色と画像出力装置で出力される画像の色とは一般には一致しない。したがって、画像出力装置で原画像を再現しようとしたとき、画像入力装置で得られた画像データをそのまま画像出力装置に送るのではなく、画像入力装置と画像出力装置との間に画像処理装置を設けて、その画像処理装置で画像データを変換する必要がある。ここでは、画像の色に着目しており、この画像データの変換を色変換と称する。
【０００４】
色変換を行うにあたっては、装置には依存しない共通色空間、例えば、Ｌ*ａ*ｂ*色空間等を中間に置き、画像入力装置によって得られた入力色空間の画像データを共通色空間の画像データに変換し、変換後の共通色空間の画像データを、画像出力装置に依存した出力色空間の画像データに変換するという手法が一般的に採用されている。また、通常は、画像入力装置を製造しているメーカーから、入力色空間の画像データ値と共通色空間の画像データ値とが対応付けられた入力プロファイルが提供され、画像出力装置を製造しているメーカーから、出力色空間の画像データ値と共通色空間の画像データ値とが対応付けられた出力プロファイルが提供される。画像処理装置では、画像入力装置で原画像が読み取られて得られた入力色空間の画像データが入力プロファイルに従って共通色空間の画像データに変換され、さらに、出力プロファイルにおいてその共通色空間の画像データと対応付けられた出力色空間の画像データが取得される。取得された出力色空間の画像データが画像出力装置に送られて、その画像データに基づいて画像出力装置で画像が出力されることによって、オペレータは、経験的な知識を必要とせず、原画像の色が精度良く再現された画像を容易に得ることができる。
【０００５】
また、原画像の色を忠実に再現するだけではなく、画像の用途や使用される用紙の特性などに合わせて、画像の色を好みの色に補正することも行われており、オペレータが色補正に使用される各種パラメータ等を簡単に設定することができる色補正用ソフトウェアが広く用いられている。色補正用ソフトウェアには、オペレータが設定画面に従ってマウス等を操作することによって、ハイライト点やシャドウ点の濃度を設定したり、画像の色の階調カーブを補正する機能などが搭載されている。このような色補正用ソフトウェアを使って画像の色を好みの色に補正するためには、オペレータが、画像出力装置で出力される画像の色の癖、すなわち、出力プロファイルや、入力プロファイルと出力プロファイルとが連結された連結プロファイルによる色変換の特性を感覚的に認識しておくことが必要となる。
【０００６】
この点に関し、色変換において重要な色であるグレー軸における色の階調を確認するために、相互に濃度が異なる複数のグレーを表わす出力色空間の画像データと、出力色空間の画像データが出力プロファイルに従って変換されたＬ*ａ*ｂ*色空間の画像データとの対応関係が曲線表示される画像処理装置（例えば、特許文献１参照）や、入力色空間の画像データ値と、入力プロファイルにおいて入力色空間の画像データ値と対応付けられたＬ*ａ*ｂ*色空間の画像データ値と、出力プロファイルにおいてＬ*ａ*ｂ*色空間の画像データ値と対応付けられた出力色空間の画像データ値とが表示され、それらの各値をオペレータがスライドバーなどを使って調整可能な画像処理装置（例えば、特許文献２参照）などが提案されている。オペレータは、これらの画像処理装置によって表示された曲線や画像データ値を確認することによって、入力色空間やＬ*ａ*ｂ*色空間の画像データに基づいて、画像出力装置でどのような色の画像が出力されるのかを知ることができる。
【特許文献１】特開２００３−１２５２２５号公報
【特許文献２】特開２００２−１２５１３１号公報
【発明の開示】
【発明が解決しようとする課題】
【０００７】
しかし、特許文献１に記載された技術では、グレー以外の色における色の階調を確認することができず、特許文献２に記載された技術では、画像出力装置で表現可能な全ての色についてＬ*ａ*ｂ*色空間の画像データ値を確認することができるが、画像データ値がそのまま表示されるため、色の階調の変化がわかりづらいという問題がある。
【０００８】
また、入力色空間であるＲＧＢ色空間や、共通色空間であるＬ*ａ*ｂ*色空間は、人間が色を認識する際に用いられる感覚とずれているため、これらの色空間の画像データ値が表わす色を想像しにくかったり、「色の彩度を上げる」などというように、人間の感覚に合わせて画像の色を変化させようとしたときに、その変化させた色の画像を表わす画像データ値を予測することが困難である。このため、特許文献１や特許文献２に記載された技術では、どのような色が出力プロファイルによってどのような色に変わるのかを認識しづらいという問題がある。
【０００９】
本発明は、上記事情に鑑み、オペレータが、どのような色が画像出力装置によってどのような色で出力されるのかを容易に認識することができる色変換定義表示装置、色変換定義表示プログラム、および色変換定義表示方法を提供することを目的とする。
【課題を解決するための手段】
【００１０】
上記目的を達成する本発明の色変換定義表示装置は、所定の第１の色空間と、画像を出力する出力デバイスに依存した第２の色空間との間の座標変換を定義した色変換定義を取得する取得部と、
明度、彩度、および色相それぞれに対応する３つの座標軸を有する、所定の変換式で第１の色空間と相互に空間変換が可能な第３の色空間における３つの座標軸のうちの１つ以上の座標軸が指定される第１の指定部と、
第１の指定部で指定された座標軸における座標成分が指定される第２の指定部と、
第３の色空間における３つの座標軸のうち、第１の指定部で指定された座標軸の座標成分を第２の指定部で指定された座標成分に固定して残りの座標軸の座標成分を変化させたときの第３の色空間における各座標に対応する第２の色空間の各座標を、変換式および色変換定義に従って算出する座標算出部と、
座標算出部で算出された第２の色空間の各座標と、その各座標に対応する第３の色空間の各座標との対応関係をグラフで表示する表示部とを備えたことを特徴とする。
【００１１】
本発明の色変換定義表示装置によると、第１の色空間と第２の色空間との間の座標変換を定義した色変換定義と、第１の色空間を第３の色空間に空間変換する所定の変換式とに従って、第３の色空間の各座標と対応する第２の色空間の各座標が算出され、それら第３の色空間の各座標と第２の色空間の各座標との対応関係がグラフで表示される。第３の色空間は、明度、彩度、および色相で色が表現されるために人間の感覚に近く、オペレータは第３の色空間の座標が表わす色を想像しやすい。したがって、本発明の色変換定義表示装置によると、オペレータは、どのような色が出力デバイスによってどのような色で出力されるのかを容易に認識することができる。
【００１２】
また、本発明の色変換定義表示装置において、上記第２の指定部は、第１の指定部で指定された座標軸の座標成分が指定されるとともに、残りの座標軸における座標成分が表示部で表示されたグラフ上で指定されるものであり、
表示部は、上記対応関係をグラフで表示するとともに、座標算出部で算出された、第２の指定部で指定された３つの座標成分によって構成される座標と対応する第２の色空間の座標の座標成分も表示するものであることが好適である。
【００１３】
本発明の好適な形態の色変換定義表示装置によると、オペレータは、第３の色空間における３つの座標軸のうち１つ以上の座標軸と座標成分を指定した後で、残りの座標軸の座標成分をグラフ上で容易に指定することができ、さらに、指定した３つの座標成分によって構成される座標と対応する第２の色空間の座標の座標成分を確実に確認することができる。
【００１４】
また、本発明の色変換定義表示装置において、上記第１の指定部は、第３の色空間における３つの座標軸のうち１つの座標軸が指定されるものであり、
表示部が、第３の色空間における３つの座標軸のうち第１の指定部で指定された１つの座標軸を除く２つの残りの座標軸で構成される平面上で、上記対応関係を濃淡グラフで表示するものであることが好ましい。
【００１５】
また、本発明の色変換定義表示装置において、上記第１の指定部は、第３の色空間における３つの座標軸のうち２つの座標軸が指定されるものであり、
表示部が、第３の色空間における３つの座標軸のうち第１の指定部で指定された２つの座標軸を除く１つの残りの座標軸に対して、上記対応関係を曲線グラフで表示するものであることも好ましい。
【００１６】
第２の色空間の各座標と第３の色空間の各座標との対応関係が濃淡グラフで表示されることによって、色変換定義によって、どのような色が第２の色空間におけるどのような色に変換されるのかを感覚的に容易に認識することができ、その対応関係が曲線グラフで表示されることによって、色変換定義による色の階調変化を精度良く認識することができる。
【００１７】
また、上記目的を達成する本発明の色変換定義表示プログラムは、コンピュータシステム内で実行され、コンピュータシステム上に、
所定の第１の色空間と、画像を出力する出力デバイスに依存した第２の色空間との間の座標変換を定義した色変換定義を取得する取得部と、
明度、彩度、および色相それぞれに対応する３つの座標軸を有する、所定の変換式で第１の色空間と相互に空間変換が可能な第３の色空間における３つの座標軸のうちの１つ以上の座標軸が指定される第１の指定部と、
第１の指定部で指定された座標軸における座標成分が指定される第２の指定部と、
第３の色空間における３つの座標軸のうち、第１の指定部で指定された座標軸の座標成分を第２の指定部で指定された座標成分に固定して残りの座標軸の座標成分を変化させたときの第３の色空間における各座標に対応する第２の色空間の各座標を、変換式および色変換定義に従って算出する座標算出部と、
座標算出部で算出された第２の色空間の各座標と、その各座標に対応する第３の色空間の各座標との対応関係をグラフで表示する表示部とを構成することを特徴とする。
【００１８】
尚、本発明の色変換定義表示プログラムによって構築される第１の指定部などといった構成要素は、１つの構成要素が１つのプログラム部品によって構築されるものであってもよく、１つの構成要素が複数のプログラム部品によって構築されるものであってもよく、複数の構成要素が１つのプログラム部品によって構築されるものであってもよい。また、これらの構成要素は、そのような作用を自分自身で実行するものであってもよく、あるいは、コンピュータに組み込まれている他のプログラムやプログラム部品に指示を与えて実行させるものであっても良い。
【００１９】
また、上記目的を達成する本発明の色変換定義表示方法は、所定の第１の色空間と、画像を出力する出力デバイスに依存した第２の色空間との間の座標変換を定義した色変換定義を取得する取得過程と、
明度、彩度、および色相それぞれに対応する３つの座標軸を有する、所定の変換式で第１の色空間と相互に空間変換が可能な第３の色空間における３つの座標軸のうちの１つ以上の座標軸が指定される第１の指定過程と、
第１の指定過程で指定された座標軸における座標成分が指定される第２の指定過程と、
第３の色空間における３つの座標軸のうち、第１の指定過程で指定された座標軸の座標成分を第２の指定過程で指定された座標成分に固定して残りの座標軸の座標成分を変化させたときの第３の色空間における各座標に対応する第２の色空間の各座標を、変換式および色変換定義に従って算出する座標算出過程と、
座標算出過程で算出された第２の色空間の各座標と、その各座標に対応する第３の色空間の各座標との対応関係をグラフで表示する表示過程とを有することを特徴とする。
【００２０】
本発明の色変換定義表示方法によると、オペレータは、どのような色が出力デバイスによってどのような色で出力されるのかを容易に認識することができる。
【００２１】
また、色変換定義表示プログラムおよび色変換定義表示方法については、ここではその基本形態のみを示すのにとどめるが、これは単に重複を避けるためであり、本発明にいう色変換定義表示プログラムおよび色変換定義表示方法には、上記の基本形態のみではなく、前述した色変換定義表示装置の各形態に対応する各種の形態が含まれる。
【発明の効果】
【００２２】
以上説明したように、本発明によれば、オペレータが、どのような色が出力デバイスによってどのような色で出力されるのかを容易に認識することができる色変換定義表示装置、色変換定義表示プログラム、および色変換定義表示方法を提供することができる。
【発明を実施するための最良の形態】
【００２３】
以下図面を参照して本発明の実施の形態を説明する。
【００２４】
図１は、本発明の一実施形態が適用された画像入力−色変換−画像出力システムの全体構成図である。
【００２５】
図１には、ＲＧＢ色空間の画像データを生成するカラースキャナ１０と、ＣＭＹＫ色空間の画像データに基づいて画像を出力するカラープリンタ３０と、後述する色変換プロファイルに従って、ＲＧＢ色空間の画像データをＣＭＹＫ色空間の画像データに変換するパーソナルコンピュータ２０とが示されている。
【００２６】
カラースキャナ１０では、原稿画像１１が読み取られてＲＧＢ３色の入力画像データが生成される。生成された入力画像データはパーソナルコンピュータ２０に入力される。
【００２７】
図２は、図１に示すパーソナルコンピュータ２０の機能ブロック図である。
【００２８】
パーソナルコンピュータ２０には、色変換装置４０、色補正装置５０、および本発明の色変換定義表示装置の一実施形態であるプロファイル表示装置６０としての機能が備えられており、さらに、メモリ７０が備えられている。メモリ７０には、カラースキャナ１０に合ったＲＧＢ色空間の画像データと、カラープリンタ３０に合ったＣＭＹＫ色空間の画像データとの対応関係が示された色変換プロファイルなど、各種プロファイルが保存されている。オペレータは、予め用意された設定用画面に従って、メモリ７０に保存された各種プロファイルのうち１つのプロファイルを選択するとともに、そのプロファイルに示された対応関係を表示するための表示パラメータ等（後述する）を指定する。このとき、プロファイル表示装置６０では、オペレータによって選択されたプロファイルがメモリ７０から取得され、さらに、オペレータによって指定された表示パラメータに従って、そのプロファイルに示された対応関係がグラフで表示される。この対応関係のグラフ表示については、後で詳しく説明する。オペレータは、表示されたグラフを確認して、選択したプロファイルに従って行われる色変換の度合いなどを補正するための補正パラメータを指定する。指定された補正パラメータは色補正装置５０に伝えられる。以上の処理は、実際に入力画像データが出力画像データに変換される前の準備段階で実行されるものである。カラースキャナ１０からパーソナルコンピュータ２０に入力画像データが送られてくると、色変換装置４０では、メモリ７０に保存された色変換プロファイルに従って、入力画像データが出力画像データに変換される。変換された出力画像データは、色補正装置５０に送られる。色補正装置５０では、オペレータによって指定された補正パラメータに従って、出力画像データに補正処理が施される。補正処理が施された出力画像データは、図１に示すカラープリンタ３０に送られる。
【００２９】
カラープリンタ３０では、出力画像データに基づくプリント出力が行われて、プリント画像３１が形成される。カラープリンタ３０は、本発明にいう出力デバイスの一例に相当する。
【００３０】
ここで、カラープリンタ３０で見た目に好ましい色を有するプリント画像３１を作成するためには、パーソナルコンピュータ２０において、カラースキャナ１０で読み取られた画像データが、色変換装置４０でカラープリンタ３０用の画像データに変換されるとともに、色補正装置５０で見た目に好ましい色を表わす画像データに補正されることが必要である。本実施形態では、プロファイル表示装置６０で、色変換プロファイル等によってどのような色がどのような色に変換されるのかがわかりやすく表示されるため、オペレータは画像データが表わす画像の色に適した補正パラメータを指定することができる。
【００３１】
続いて、パーソナルコンピュータ２０のハードウェアについて説明する。
【００３２】
図３は、図１に１つのブロックで示すパーソナルコンピュータの外観斜視図、図４はそのパーソナルコンピュータのハードウェア構成図である。
【００３３】
このパーソナルコンピュータ２０は、外観構成上、本体装置２１、その本体装置２１からの指示に応じて表示画面２２ａ上に画像を表示する画像表示装置２２、本体装置２１にキー操作に応じた各種の情報を入力するキーボード２３、および、表示画面２２ａ上の任意の位置を指定することにより、その位置に表示された、例えばアイコン等に応じた指示を入力するマウス２４を備えている。この本体装置２１は、外観上、フレキシブルディスク（以下では、ＦＤと省略する）を装填するためのＦＤ装填口２１ａ、およびＣＤ−ＲＯＭを装填するためのＣＤ−ＲＯＭ装填口２１ｂを有する。
【００３４】
本体装置２１の内部には、図４に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、ＦＤ１００が装填され、その装填されたＦＤ１００をアクセスするＦＤドライブ２１４、ＣＤ−ＲＯＭ１１０をアクセスするＣＤ−ＲＯＭドライブ２１５、図１のカラースキャナ１０と接続され、カラースキャナ１０から画像データを受け取る入力インタフェース２１６、図１のカラープリンタ３０と接続され、カラープリンタ３０に画像データを送る出力インタフェース２１７が内蔵されており、これらの各種要素と、さらに図２にも示す画像表示装置２２、キーボード２３、およびマウス２４は、バス２５を介して相互に接続されている。
【００３５】
ここで、ＣＤ−ＲＯＭ１１０には、本発明の色変換定義表示プログラムの一実施形態であるプロファイル表示プログラムが記憶されている。そのＣＤ−ＲＯＭ１１０はＣＤ−ＲＯＭドライブ２１５に装填され、そのＣＤ−ＲＯＭ１１０に記憶されたプロファイル表示プログラムがこのパーソナルコンピュータ２０にアップロードされてハードディスク装置２１３に記憶される。そして、このプロファイル表示プログラムが起動されて実行されることにより、パーソナルコンピュータ２０内に、本発明の色変換定義表示装置の一実施形態であるプロファイル表示装置６０が構築される。
【００３６】
次に、このパーソナルコンピュータ２０内で実行されるプロファイル表示プログラムについて説明する。
【００３７】
図５は、本発明の色変換定義表示プログラムの一実施形態であるプロファイル表示プログラムが記憶されたＣＤ−ＲＯＭ１１０を示す概念図である。
【００３８】
プロファイル表示プログラム３００は、基本プロファイル取得部３１０、空間変換部３２０、表示パラメータ指定部３３０、グラフ作成部３４０、およびグラフ表示部３５０で構成されている。プロファイル表示プログラム３００の各部の詳細については、プロファイル表示装置６０の各部の作用と一緒に説明する。
【００３９】
尚、図５では、色変換定義表示プログラムを記憶する記憶媒体としてＣＤ−ＲＯＭ１１０が例示されているが、本発明の色変換定義表示プログラムを記憶する記憶媒体はＣＤ−ＲＯＭに限られるものではなく、それ以外の光ディスク、ＭＯ、ＦＤ、磁気テープなどの記憶媒体であってもよい。また、本発明の色変換定義表示プログラムは、記憶媒体を介さずに、通信網を介して直接にコンピュータに供給されるものであってもよい。
【００４０】
図６は、このプロファイル表示プログラム３００を図１に示すパーソナルコンピュータ２０にインストールしたときの、パーソナルコンピュータ２０内に構築されるプロファイル表示装置６０の機能ブロック図である。
【００４１】
図６に示すプロファイル表示装置６０は、基本プロファイル取得部４１０、空間変換部４２０、表示パラメータ指定部４３０、グラフ作成部４４０、およびグラフ表示部４５０を備えている。図５に示すプロファイル表示プログラム３００を図１に示すパーソナルコンピュータ２０にインストールすると、プロファイル表示プログラム３００の基本プロファイル取得部３１０は図６の基本プロファイル取得部４１０を構成し、以下同様に、空間変換部３２０は空間変換部４２０を構成し、表示パラメータ指定部３３０は表示パラメータ指定部４３０を構成し、グラフ作成部３４０はグラフ作成部４４０を構成し、グラフ表示部３５０はグラフ表示部４５０を構成する。
【００４２】
まず、図２および図６に示すメモリ７０に保存された各種プロファイルについて説明する。
【００４３】
メモリ７０は、図４に示すハードディスク装置２１３がその役割を担うものである。本実施形態では、図１に示すカラースキャナ１０を製造しているメーカーから、カラースキャナ１０で色パッチが読み取られて得られたＲＧＢ色空間の画像データと、その色パッチの色が測色計などで測色されて得られたＬ*ａ*ｂ*色空間の画像データとの対応関係が示された入力プロファイル７１が提供され、カラープリンタ３０を製造しているメーカーから、ＣＭＹＫ色空間の画像データと、その画像データに基づいてカラープリンタ３０で出力された画像の色が測色計などで測色されて得られたＬ*ａ*ｂ*色空間の画像データとの対応関係が示された出力プロファイル７２とが提供される。提供された入力プロファイル７１と出力プロファイル７２は、メモリ７０に記憶される。また、パーソナルコンピュータ２０では、入力プロファイル７１と出力プロファイル７２とがＬ*ａ*ｂ*色空間を介して連結されて、ＲＧＢ色空間の画像データとＣＭＹＫ色空間の画像データとの対応関係が示された色変換プロファイル７３が作成される。作成された色変換プロファイル７３もメモリ７０に記憶される。
【００４４】
表示パラメータ指定部４３０は、図３および図４に示すキーボード２３やマウス２４がその役割を担うものであり、本発明の色変換定義表示装置における第１の指定部、および第２の指定部それぞれの一例に相当する。まずは、オペレータによって、表示パラメータ指定部４３０を使って、メモリ７０に記憶されたプロファイルのうち、カラープリンタ２０の色空間（以下では、出力色空間と称する）であるＣＭＹＫ色空間との対応関係が示されたプロファイルが指定されると（本実施形態では、出力プロファイル７２と色変換プロファイル７３のうちのいずれかが指定される）、指定されたプロファイルのプロファイル名が基本プロファイル取得部４１０に伝えられる。
【００４５】
基本プロファイル取得部４１０は、表示パラメータ指定部４３０から伝えられたプロファイル名のプロファイルをメモリ７０から取得する。取得されたプロファイルは、空間変換部４２０に送られる。基本プロファイル取得部４１０は、本発明の色変換定義表示装置における取得部の一例に相当する。
【００４６】
空間変換部４２０は、基本プロファイル取得部４１０から送られてきたプロファイルにおいて、出力色空間であるＣＭＹＫ色空間の画像データと対応付けられた画像データの色空間（以下では、対象色空間と称する）を、所定の変換式に従って、明度、彩度、および色相それぞれに対応する３つの座標軸を有する色空間（以下では、変換色空間と称する）に空間変換する。尚、本実施形態では、空間変換部４２０には出力プロファイル７２あるいは色変換プロファイル７３が送られてくるため、対象色空間としては、Ｌ*ａ*ｂ*色空間とＲＧＢ色空間が当てはまる。対象色空間がＬ*ａ*ｂ*色空間の場合は、変換色空間としてＬＣＨ色空間が用いられ、対象色空間がＲＧＢ色空間の場合は、変換色空間としてＹＨＳ色空間が用いられる。これら各色空間の詳しい説明は後述する。対象色空間であるＬ*ａ*ｂ*色空間およびＲＧＢ色空間は、本発明にいう第１の色空間の一例にあたり、出力色空間であるＣＭＹＫ色空間は、本発明にいう第２の色空間の一例にあたり、変換色空間であるＬＣＨ色空間およびＹＨＳ色空間は、本発明にいう第３の色空間の一例に相当する。対象色空間が変換色空間に空間変換されることで生成された、出力色空間の画像データと変換色空間の画像データとが対応付けられた新しいプロファイルは、グラフ作成部４４０に送られる。
【００４７】
ここで、オペレータは、予め用意された設定画面に従って、表示パラメータ指定部４３０を使って、変換色空間における明度、彩度、および色相それぞれに対応する３つの座標軸のうちの１つ以上の座標軸とその座標成分とを指定する。指定された座標軸と座標成分は、グラフ作成部４４０に伝えられる。
【００４８】
グラフ作成部４４０は、空間変換部４２０で生成された新しいプロファイル（出力色空間の画像データと変換色空間の画像データとの対応関係が示されてる）において、変換色空間の画像データのうち、表示パラメータ指定部４３０から伝えられた座標軸の座標成分を固定して残りの座標軸の座標成分を変化させた座標で表わされる画像データを取得し、その取得した変換色空間の画像データと出力色空間の画像データとの対応関係部分を表わすグラフを作成する。空間変換部４２０とグラフ作成部４４０とを合わせたものは、本発明の色変換定義表示装置における座標算出部の一例に相当する。作成されたグラフは、グラフ表示部４５０に送られる。
【００４９】
グラフ表示部４５０は、グラフ作成部４４０から送られてきたグラフを、図３に示す表示画面２２ａに表示する。このグラフ表示部４５０は、本発明の色変換定義表示装置における表示部の一例に相当する。
【００５０】
プロファイル表示装置６０は、基本的には以上のように構成されている。
【００５１】
以下では、オペレータがプロファイルを選択し、そのプロファイルに示された対応関係を表示画面２２ａにグラフ表示する一連の処理について説明する。
【００５２】
図７は、プロファイルに示された対応関係をグラフ表示する一連の処理を示すフローチャートである。
【００５３】
オペレータが、パーソナルコンピュータ２０に予め用意されているアイコンなどをクリックすると、図３の表示画面２２ａに、予め用意されているプロファイル表示用設定画面が表示される。
【００５４】
図８は、プロファイル表示用設定画面の一例を示す図である。
【００５５】
図８のパート（Ａ）に示すように、プロファイル表示用設定画面５００には、メモリ７０に保存されたプロファイル（図６の例では、入力プロファイル７１，出力プロファイル７２，色変換プロファイル７３）のうち、出力色空間であるＣＭＹＫ色空間の画像データとの対応関係が示されたプロファイル（出力プロファイル７２，色変換プロファイル７３）の名称が表示されたプロファイル名表示部５１０、プロファイル名表示部５１０に表示されたプロファイルのうちの１つが選択されるラジオボタン５１１、変換色空間における明度、彩度、および色相それぞれに対応する３軸のうち、座標成分を固定する１つの軸が選択される軸固定ボタン５２０、変換色空間の３軸のうち、座標成分を固定する２つの軸が選択される面固定ボタン５３０が備えられている。また、軸固定ボタン５２０あるいは面固定ボタン５３０がポインタ５０１で指定されたときには、変換色空間における３軸のうちの１軸を選択可能なポップアップウィンドウ５２１が表示される。軸固定ボタン５２０が指定されて、さらにポップアップウィンドウ５２１で３軸のうちの１軸が選択されたときには、パート（Ｂ）に示すように、選択された１軸の座標成分が入力される１軸入力画面５２２が表示される。また、面固定ボタン５３０が指定されて、さらにポップアップウィンドウ５２１で３軸のうちの１軸が選択されたときには、選択された１軸を除く２軸の座標成分が固定されることを示し、パート（Ｃ）に示すように、選択された１軸を除く２軸の座標成分それぞれが入力される２軸入力画面５３２が表示される。
【００５６】
オペレータは、プロファイル表示用設定画面５００を使って、プロファイル名、および固定する軸と座標成分を入力する（図７のステップＳ１，Ｓ２）。ここでは、まず、オペレータによって、「出力プロファイル」のラジオボタン５１１が選択され、面固定ボタン５３０のポップアップウィンドウ５２１で「明度」が選択され、２軸入力画面５２３で明度軸を除く２軸の座標成分として「彩度：６０」「色相：５０」が入力されたものとして説明する。
【００５７】
このとき、プロファイル表示装置６０の内部では、表示パラメータ指定部４３０から基本プロファイル取得部４１０にプロファイル名（出力プロファイル）が伝えられるとともに、入力された軸とその座標成分（彩度：６０，色相：５０）がグラフ作成部４４０に伝えられる。変換色空間における３軸のうち１つ以上の軸を指定する処理は、本発明の色変換定義表示方法における第１の指定過程の一例にあたり、指定した軸の座標成分を指定する処理は、本発明の色変換定義表示方法における第２の指定過程の一例に相当する。
【００５８】
基本プロファイル取得部４１０は、メモリ７０に保存されているプロファイルのうち、表示パラメータ指定部４３０から伝えられた出力プロファイル７２を取得し（図７のステップＳ３）、取得した出力プロファイル７２を空間変換部４２０に送る。この出力プロファイル７２を取得する図７のステップＳ３の処理は、本発明の色変換定義表示方法における取得過程の一例に相当する。
【００５９】
表１は、出力プロファイル７２に示された対応関係を表わす概念図である。
【００６０】
【表１】
2006254009.tif 000003
【００６１】
表１は、出力プロファイル７２に示された対応関係がｎ行（ｎは自然数）の表として示されている。以下では、表１の全ｎ行のうち任意の行を、ｉ（１≦ｉ≦ｎ；ｉは自然数）を用いて表現する。表１に示すように、出力プロファイル７２では、ＣＭＹＫ色空間の座標値（Ｃi，Ｍi，Ｙi，Ｋi）と、Ｌ*ａ*ｂ*色空間の座標値（Ｌ＊i，ａ＊i，ｂ＊i）とが対応付けられている。空間変換部４２０は、以下に示す変換式（１）に従って、出力プロファイル７２におけるＬ*ａ*ｂ*色空間の座標値（Ｌ＊i，ａ＊i，ｂ＊i）を、Ｌ軸が明度、Ｃ軸が彩度、Ｈ軸が色相にそれぞれ相当するＬＣＨ色空間の座標値（Ｌi，Ｃi，Ｈi）に空間変換する（図７のステップＳ４）。
【００６２】
Ｌi＝Ｌ＊i
Ｃi＝（ａ＊i2＋ｂ＊i2）1/2
Ｈi＝ｔａｎ-1（ｂ＊i／ａ＊i）    …変換式（１）
表２は、出力プロファイル７２におけるＬ*ａ*ｂ*色空間の座標が、ＬＣＨ色空間の座標に変換された新しいプロファイルにおける対応関係を示す概念図である。
【００６３】
【表２】
2006254009.tif 000004
【００６４】
空間変換部４２０において、出力プロファイル７２のＬ*ａ*ｂ*色空間がＬＣＨ色空間に空間変換されることによって、表２に示すように、ＣＭＹＫ色空間の座標値（Ｃi，Ｍi，Ｙi，Ｋi）と、ＬＣＨ色空間の座標値（Ｌi，Ｃi，Ｈi）とが対応付けられた新しいプロファイル（以下では、この新しいプロファイルを空間対応プロファイルと称する）が生成される。生成された空間対応プロファイルは、グラフ作成部４４０に送られる。
【００６５】
グラフ作成部４４０は、空間変換部４２０から空間対応プロファイルが送られ、表示パラメータ指定部４３０から軸とその座標成分（彩度：６０，色相：５０）とが送られてくると、それらを使ってグラフを作成する。すなわち、グラフ作成部４４０は、表２に示す空間対応プロファイルにおいて、ＬＣＨ色空間の彩度に対応するＣ軸の座標成分が６０であり、色相に対応するＨ軸の座標成分が５０である対応関係部分（Ｌ，Ｃ，Ｈ）＝（Ｌm，６０，５０）：（Ｃ，Ｍ，Ｙ，Ｋ）＝（Ｃm，Ｍm，Ｙm，Ｋm），（ただし、１≦ｍ≦ｎ）を取り出す。続いて、横軸をＬＣＨ色空間における残りの軸である明度軸Ｌ、縦軸をＣＭＹＫ色空間のＣ，Ｍ，Ｙ，Ｋ各軸として、１≦ｍ≦ｎの間で変数ｍを変化させたときの、対応関係部分におけるＬm値とＣm，Ｍm，Ｙm，Ｋm各値との関係を表わす４つの曲線グラフを作成する（図７のステップＳ５）。指定されたプロファイルにおける対象色空間を変換色空間に空間変換して空間対応プロファイルを作成し、その空間対応プロファイルから対応関係部分を取り出すステップＳ４およびステップＳ５の処理は、本発明の色変換定義表示方法における座標算出過程の一例に相当する。作成されたＣＭＹＫ各色の曲線グラフは、グラフ表示部４５０に送られる。
【００６６】
グラフ表示部４５０は、グラフ作成部４４０で作成された曲線グラフを含むプロファイル表示画面を図３の表示画面２２ａに表示する（図７のステップＳ６）。グラフを表示するステップＳ６の処理は、本発明の色変換定義表示方法における表示過程の一例に相当する。
【００６７】
図９は、曲線グラフが表示されたプロファイル表示画面の一例を示す図である。
【００６８】
プロファイル表示画面６００には、変換色空間における明度、彩度、および色相それぞれに対応する３軸の座標成分を指定するためのスライドバー６１０、現在の座標成分を表示するとともに、座標成分を直接入力するための座標成分ボックス６０１ａ、グラフ作成部４４０で作成されたグラフを表示するグラフ表示部６２０、グラフ表示部６２０に表示されたグラフ上で横軸（この例では、明度軸）の値を指定するための軸指定子６２１、グラフ表示部６２０に表示されたグラフと軸指定子６２１によって指定された横軸の値との交点における出力色空間の各座標成分値（この例では、ＣＭＹＫ各色の値）が表示される出力値表示部６３１、グラフ表示部６２０に、出力色空間の各色のうちどの色のグラフを表示するかを指定する表示チェックボックス６３１ａ、出力色空間の全ての色のグラフを表示するためのＡＬＬチェックボックス６３２が備えられている。
【００６９】
この例では、ＡＬＬチェックボックス６３２にチェックが入れられており、グラフ表示部６２０には、グラフ作成部４４０で作成されたＣＭＹＫ各色に関する曲線グラフ６２０Ｃ，６２０Ｍ，６２０Ｙ，６２０Ｋがそれぞれの色を有する曲線で表示されている。また、グラフ表示部６２０に示された領域６２２は、図１に示すカラープリンタ３０の色再現領域外の領域を表わしている。軸指定子６２１では、明度軸上の位置が指定されており、その指定された位置に相当する座標成分の値（ここでは６５）が明度軸の座標成分ボックス６０１ａに表示されている。また、明度軸の座標成分：６５と曲線グラフ６２０Ｃ，６２０Ｍ，６２０Ｙ，６２０Ｋとの交点におけるＣＭＹＫ各色の値（Ｃ，Ｍ，Ｙ，Ｋ）＝（３，８２，７１，０）が出力値表示部６３１に表示されている。オペレータがポインタ６０１を使って軸指定子６２１を横軸に沿って移動させると、その移動させた位置に応じて、明度軸の座標成分ボックス６０１ａと出力値表示部６３１とが更新される。
【００７０】
スライドバー６１０は、図７のステップＳ２で指定された座標軸の座標成分を変更するためのものであり、この例では、ステップＳ２で指定されなかった明度軸のスライドバー６１０は操作できないようにグレー表示されている。例えば、オペレータがポインタ６０１で彩度や色相のスライドバー６１０を移動させると、移動後のスライドバー６１０が指し示す座標成分が座標成分ボックス６０１ａに表示される。このとき、パラメータ表示装置６０の内部では、表示パラメータ指定部４３０からグラフ作成部４４０に新たな彩度軸や色相軸の座標成分が伝えられ（図７のステップＳ７：Ｎｏ）、グラフ作成部４４０では、それらの座標軸の座標成分を新たに伝えられた座標成分に固定したときの新たなグラフが作成される（図７のステップＳ５）。作成された新たなグラフはグラフ表示部４５０に送られて、グラフ表示部４５０によって、プロファイル表示画面６００の曲線グラフ６２０Ｃ，６２０Ｍ，６２０Ｙ，６２０Ｋが更新される（図７のステップＳ６）。
【００７１】
オペレータは、プロファイル表示画面６００に表示されたグラフを目視で確認する。この例では、オペレータは、グラフ表示部６２０に表示された曲線グラフ６２０Ｃ，６２０Ｍ，６２０Ｙ，６２０Ｋを確認することによって、ステップＳ１で選択した出力プロファイル７２によると、明るい色（明度が高い色）ほど、カラープリンタ３０で使用されるＭ色およびＹ色の色材が多く、Ｃ色は少なくなるような色に変換されるということが認識できる。また、ステップＳ２において、明度軸と色相軸を指定し、グラフ表示部６２０に彩度に関するグラフを表示させることによって、色変換前の画像の色の鮮やかさと、出力プロファイル７２によって色変換される色との関係を認識することができ、明度軸と彩度軸を指定して色相に関するグラフを表示させることによって、色変換前の画像の色の色味と、出力プロファイル７２によって色変換される色との関係を認識することができる。このように、本実施形態のプロファイル表示装置６０によると、オペレータは、どのような色がプロファイルによってどのような色で変換されるのかを容易に認識することができる。
【００７２】
続いて、図７のステップＳ１で、表示プロファイル名として色変換プロファイル７３が指定され、ステップＳ２で、座標成分を固定する座標軸が１つだけ指定される場合について説明する。
【００７３】
ここでは、オペレータによって、図８のプロファイル表示用設定画面５００で「色変換プロファイル」のラジオボタン５１１が選択され、軸固定ボタン５２０のポップアップウィンドウ５２１で「明度」が選択され、１軸入力画面５２２で明度軸の座標成分として「明度：４０」が入力されたものとして説明する。
【００７４】
プロファイル表示装置６０の内部では、表示パラメータ指定部４３０から基本プロファイル取得部４１０にプロファイル名（色変換プロファイル）が伝えられ、基本プロファイル取得部４１０で色変換プロファイル７３が取得される（図７のステップＳ３）。取得された色変換プロファイル７３は、空間変換部４２０に送られる。
【００７５】
表３は、色変換プロファイル７３に示された対応関係を表わす概念図である。
【００７６】
【表３】
2006254009.tif 000005
【００７７】
表３は、色変換プロファイル７３に示された対応関係がｎ行（ｎは自然数）の表として示されている。以下では、表３の全ｎ行のうち任意の行を、ｉ（１≦ｉ≦ｎ；ｉは自然数）を用いて表現する。表３に示すように、色変換プロファイル７３では、ＲＧＢ色空間の座標値（Ｒi，Ｇi，Ｂi）と、ＣＭＹＫ色空間の座標値（Ｃi，Ｍi，Ｙi，Ｋi）とが対応付けられている。空間変換部４２０は、以下に示す変換式（２）に従って、色変換プロファイル７３におけるＲＧＢ色空間の座標値（Ｒi，Ｇi，Ｂi）を、Ｙ軸が明度、Ｓ軸が彩度、Ｈ軸が色相にそれぞれ相当するＹＨＳ色空間の座標値（Ｙ，Ｈ，Ｓ）＝（Ｙi，Ｈi，Ｓi）に空間変換し（図７のステップＳ４）、色変換プロファイル７３におけるＲＧＢ色空間の座標が、ＹＨＳ色空間の座標に変換された空間対応プロファイルを生成する。
【００７８】
Ｙi＝０．３×Ｒi＋０．６×Ｇi＋０．１×Ｂi
Ｃｒi＝Ｒi−Ｙi
Ｃｂi＝Ｂi−Ｙi
Ｓi＝（Ｃｒi2＋Ｃｂi2）1/2
Ｈi＝ｔａｎ-1（Ｃｒi／Ｃｂi）    …変換式（２）
また、オペレータによって入力された軸（明度軸）と、その座標成分（明度：４０）は、表示パラメータ指定部４３０から指定内容がグラフ作成部４４０に伝えられる（図７のステップＳ２）。
【００７９】
グラフ作成部４４０は、空間変換部４２０で生成された空間対応プロファイルにおいて、ＹＨＳ色空間の明度に対応するＹ軸の座標成分が４０である対応関係部分（Ｙ，Ｈ，Ｓ）＝（４０，Ｈm，Ｓm）：（Ｃ，Ｍ，Ｙ，Ｋ）＝（Ｃm，Ｍm，Ｙm，Ｋm）を取り出す。続いて、グラフ作成部４４０は、横軸をＹＨＳ色空間の色相軸Ｈ、縦軸を彩度軸Ｓとして、１≦ｍ≦ｎの間で変数ｍを変化させたときの、対応関係部分における、Ｈm値，Ｓm値の変化に伴うＣm，Ｍm，Ｙm，Ｋm各値の変化をＣＭＹＫ各色の濃度で表現したグラフを作成する（図７のステップＳ５）。作成された濃度分布グラフは、グラフ表示部４５０に送られて、図３の表示画面２２ａに表示される（図７のステップＳ６）。
【００８０】
図１０は、濃度分布グラフが表示されたプロファイル表示画面の一例を示す図である。
【００８１】
プロファイル表示画面６００´は、図９に示すプロファイル表示画面６００とほぼ同様の要素が備えられているが、オペレータによって指定された明度軸を除く彩度軸と色相軸のスライドバー６１０がグレー表示されており、グラフ表示部６２０には、濃度分布グラフ６４４が表示されている。濃度分布グラフ６４４は、図１０上では、一様な濃度の白いグラフとして示されているが、実際には、Ｃ，Ｍ，Ｙ，Ｋ各色の濃度分布が示されており、濃度分布グラフ６４４の各座標上の色が、その座標におけるＣ，Ｍ，Ｙ，Ｋ各色の成分値のバランスを表わしている。オペレータは、この濃度分布グラフ６４４を確認することによって、色変換前の画像の色の鮮やかさ（色の彩度）や色相（色味）と、ステップＳ１で選択した色変換プロファイル７３によって色変換された後の色との関係を容易に認識することができる。グラフ表示部６２０において、境界線６４１よりも上側の領域６４３は、カラープリンタ３０の色再現領域外の領域を表わす。また、図１０では、図９に示す軸指定子６２１の替わりに、濃度分布グラフ６４４上の１点を指定するための点指定子６４２が備えられている。オペレータがポインタ６０１で濃度分布グラフ６４４上の点を指し示すと、点指定子６４２がポインタ６０１で指し示された場所に移動し、その移動した位置における彩度値、色相値、Ｃ，Ｍ，Ｙ，Ｋ各値が算出されて、彩度軸と色相軸の座標成分ボックス６０１ａと出力値表示部６３１とが更新される。
【００８２】
オペレータは、この濃度分布グラフ６４４を確認することによって、色変換前の画像の色の鮮やかさ（色の彩度）や色相（色味）と、ステップＳ１で選択した色変換プロファイル７３によって色変換された後の色との関係を容易に認識することができる。
【００８３】
ここで、上記では、本発明にいう第１の色空間としてＲＧＢ色空間、およびＬ*ａ*ｂ*色空間が適用される例について説明したが、本発明にいう第１の色空間としては、ＣＭＹＫ色空間などであってもよい。
【００８４】
また、上記では、本発明にいう出力デバイスの一例として、Ｃ，Ｍ，Ｙ，Ｋ各色の色材で画像を形成するカラープリンタの例について説明したが、本発明にいう出力デバイスは、感光紙をＲ，Ｇ，Ｂ各色のレーザ光で露光することによって画像を形成するカラープリンタなどであってもよい。この場合、本発明にいう第２の色空間はＲＧＢ色空間となる。
【図面の簡単な説明】
【００８５】
【図１】本発明の一実施形態が適用された画像入力−色変換−画像出力システムの全体構成図である。
【図２】図１に示すパーソナルコンピュータ２０の機能ブロック図である。
【図３】図１に示すパーソナルコンピュータ２０の外観斜視図である。
【図４】図１に示すパーソナルコンピュータ２０のハードウェア構成図である。
【図５】本発明の色変換定義表示プログラムの一実施形態であるプロファイル表示プログラムが記憶されたＣＤ−ＲＯＭ１１０を示す概念図である。
【図６】プロファイル表示装置６０の機能ブロック図である。
【図７】プロファイルに示された対応関係をグラフ表示する一連の処理を示すフローチャートである。
【図８】プロファイル表示用設定画面の一例を示す図である。
【図９】曲線グラフが表示されたプロファイル表示画面の一例を示す図である。
【図１０】濃度分布グラフが表示されたプロファイル表示画面の一例を示す図である。
【符号の説明】
【００８６】
１０    カラースキャナ
２０    パーソナルコンピュータ
２２ａ    表示画面
２２    画像表示装置
２３    キーボード
２４    マウス
２５    バス
３０    カラープリンタ
４０    色変換装置
５０    色補正装置
６０    プロファイル表示装置
７０    メモリ
７１    入力プロファイル
７２    出力プロファイル
７３    色変換プロファイル
１００    ＦＤ
１１０    ＣＤ−ＲＯＭ
２１１    ＣＰＵ
２１２    主メモリ
２１３    ハードディスク装置
２１４    ＦＤドライブ
２１５    ＣＤ−ＲＯＭドライブ
２１６    入力インタフェース
２１７    出力インタフェース
３００    プロファイル表示プログラム
３１０    基本プロファイル取得部
３２０    空間変換部
３３０    表示パラメータ指定部
３４０    グラフ作成部
３５０    グラフ表示部
４１０    基本プロファイル取得部
４２０    空間変換部
４３０    表示パラメータ指定部
４４０    グラフ作成部
４５０    グラフ表示部
【図１】
2006254009.tif 000006
【図２】
2006254009.tif 000007
【図３】
2006254009.tif 000008
【図４】
2006254009.tif 000009
【図５】
2006254009.tif 000010
【図６】
2006254009.tif 000011
【図７】
2006254009.tif 000012
【図８】
2006254009.tif 000013
【図９】
2006254009.tif 000014
【図１０】
2006254009.tif 000015